(57)【要約】【課題】位置決めピンを損傷することなくテラヘルツ波誘電体導波路のテラヘルツ波入出力ポートへの位置決めをし、装脱を簡単に行なうこと。【解決手段】テラヘルツ波入出力ポート位置決め機構３４は、テラヘルツ波誘電体導波路３２と、当接部３６と、位置決め部３８と、傾斜案内部４０とを含んで構成されている。テラヘルツ波誘電体導波路３２は、可撓性および弾性を有する誘電体から構成されている。当接部３６は、開口１８の周囲の導波管フランジ１６の箇所に当接可能に設けられている。位置決め部３８は、導波管フランジ１６の開口１８に挿入されることで、テラヘルツ波誘電体導波路３２を導波管フランジ１６の開口１８に対して位置決めする。傾斜案内部４０は、開口１８へのテラヘルツ波誘電体導波路３２の挿入が円滑に簡単になされるようにするものである。【選択図】図１
2017147551.tif 000002
【特許請求の範囲】
【請求項１】
内周部に開口が形成され外周部に位置決めピンが突設されテラヘルツ波入出力ポートを構成する導波管フランジの前記開口と同一輪郭を呈して延在するテラヘルツ波誘電体導波路の前記テラヘルツ波入出力ポートに対する位置決め機構であって、
前記テラヘルツ波誘電体導波路は可撓性および弾性を有し、
前記位置決め機構は、前記テラヘルツ波誘電体導波路の先部寄りの箇所に前記位置決めピンに干渉しない形状で設けられ前記開口の周囲の前記導波管フランジの箇所に当接可能な当接部と、前記当接部から突出する前記テラヘルツ波誘電体導波路の部分で構成され前記開口に挿脱可能に挿入され前記開口に挿入されることで前記開口に対しての前記テラヘルツ波誘電体導波路の位置決めを行なう位置決め部と、前記位置決め部から突出する前記テラヘルツ波誘電体導波路の部分に設けられ先端に至るにつれて断面が小さくなる傾斜案内部とを含んで構成されている、
ことを特徴とするテラヘルツ波入出力ポート位置決め機構。
【請求項２】
前記位置決めピンは、前記開口の中心を中心とした同一円周上に複数設けられ、
前記当接部は、複数の前記位置決めピンよりも前記同一円周の半径方向内側に離れた箇所に位置する外径で形成されている、
ことを特徴とする請求項１記載のテラヘルツ波入出力ポート位置決め機構。
【請求項３】
内周部に開口が形成され外周部に位置決めピンが突設されテラヘルツ波入出力ポートを構成する導波管フランジの前記開口と同一輪郭を呈して延在するテラヘルツ波誘電体導波路を前記テラヘルツ波入出力ポートに接続する方法であって、
前記テラヘルツ波誘電体導波路として可撓性および弾性を有するものを用い、
前記テラヘルツ波誘電体導波路の先部寄りの箇所に、前記位置決めピンに干渉せずに前記開口の周囲の前記導波管フランジの箇所に当接可能な当接部を設け、
前記当接部から突出する前記テラヘルツ波誘電体導波路の部分に、前記開口に挿脱可能に挿入され前記開口に挿入されることで前記開口に対しての前記テラヘルツ波誘電体導波路の位置決めを行なう位置決め部を設け、
前記位置決め部から突出する前記テラヘルツ波誘電体導波路の部分に、先端に至るにつれて断面が小さくなる傾斜案内部を設け、
前記傾斜案内部と前記位置決め部とを前記開口に挿入し、前記当接部を前記開口の周囲の前記導波管フランジの箇所に当接させた状態を、前記開口および前記当接部から離れた前記テラヘルツ波誘電体導波路の箇所を湾曲させることで生ずる前記テラヘルツ波誘電体導波路の弾性力により維持するようにした、
ことを特徴とするテラヘルツ波誘電体導波路の接続方法。
【発明の詳細な説明】
【技術分野】
【０００１】
本発明は、テラヘルツ波入出力ポート位置決め機構に関し、さらに詳細には、テラヘルツ波入出力ポートに対してテラヘルツ波誘電体導波路を位置決めした状態で簡単に接続することができるテラヘルツ波入出力ポート位置決め機構とその機構を用いたテラヘルツ波誘電体導波路の接続方法に関する。
【背景技術】
【０００２】
テラヘルツ波（０．１ＴＨｚ〜１０ＴＨｚ）を入力して所定の処理を行う製品が種々提供されており、例えば、テラヘルツ波を入力してそのテラヘルツ波に所定の処理を行ったテラヘルツ波を出力する製品が提供されている。
このような製品は、テラヘルツ波を入力する入力ポートと、テラヘルツ波を出力する出力ポートとを備えている。
例えば、テラヘルツ波を分配する分配器では、製品の出荷前にその性能を評価する検査が行われる。この検査は、入力ポートおよび出力ポートに対してテラヘルツ波導波路を介して検査装置を接続し、検査装置と製品との間でテラヘルツ波の授受を行い、検査装置から製品に供給したテラヘルツ波と、製品から検査装置に戻るテラヘルツ波とに基いて行われる。
【０００３】
ところで、入出力ポートは、製品の筐体に取り付けられた導波管フランジで形成されており、導波管フランジは、テラヘルツ波が導波される開口と、開口の周囲に設けられた複数の位置決め用のピンと、開口の周囲に設けられた複数のねじ孔とを備えている。
また、テラヘルツ波導波路の先部には、導波管フランジに対応する導波管フランジが設けられ、この導波管フランジは、入力ポートおよび出力ポートの導波管フランジの開口に対応する開口と、位置決めピンが挿通される位置決め孔と、ねじ孔に対応するねじ挿通孔とが設けられている。
そして、テラヘルツ波導波路と入出力ポートとの結合は、位置決めピンを位置決め孔に挿入し、ねじ挿通孔に挿通したねじをねじ孔に螺合し、入出力ポートの導波管フランジとテラヘルツ波導波路の導波管フランジとを結合することでなされる。
【先行技術文献】
【特許文献】
【０００４】
【特許文献１】特開２００４−１６３２８０号公報
【発明の概要】
【発明が解決しようとする課題】
【０００５】
しかしながら、上記の構成では、入出力ポートの導波管フランジとテラヘルツ波導波路の導波管フランジとの着脱時に、位置決めピンが位置決め孔にうまく入らないと、あるいは、位置決めピンが位置決め孔から円滑に抜けないと、位置決めピンが損傷するおそれがあり、位置決めピンが損傷したのでは、製品の出荷ができなくなる不具合が生じる。
また、複数の入出力ポートにおいて導波管フランジの着脱を行なうため、各入出力ポートにおいて、それぞれ検査前は複数のねじを締結し、検査後は複数のねじを取り外さなければならず、入出力ポートに対するテラヘルツ波導波路の挿脱に手間がかかる不具合があった。
そのため、位置決めピンに対する位置決め孔の挿脱を慎重に行わなければならず、さらには、複数箇所において複数のねじの取り付け、取り外しを行なわなければならず、入出力ポートに対するテラヘルツ波導波路の挿脱に多くの時間を要し、検査の作業効率を高めることができない不具合があった。
本発明は上記事情に鑑みなされたものであって、本発明の目的は、位置決めピンを損傷することなくテラヘルツ波誘電体導波路のテラヘルツ波入出力ポートへの位置決めを簡単に行なえ、また、ねじの締結、取り外し作業を不要とし、テラヘルツ波誘電体導波路のテラヘルツ波入出力ポートへの装脱を簡単に行なえるテラヘルツ波入出力ポート位置決め機構とその機構を用いたテラヘルツ波誘電体導波路の接続方法を提供することにある。
【課題を解決するための手段】
【０００６】
上記目的を達成するために、本発明は、内周部に開口が形成され外周部に位置決めピンが突設されテラヘルツ波入出力ポートを構成する導波管フランジの前記開口と同一輪郭を呈して延在するテラヘルツ波誘電体導波路の前記テラヘルツ波入出力ポートに対する位置決め機構であって、前記テラヘルツ波誘電体導波路は可撓性および弾性を有し、前記位置決め機構は、前記テラヘルツ波誘電体導波路の先部寄りの箇所に前記位置決めピンに干渉しない形状で設けられ前記開口の周囲の前記導波管フランジの箇所に当接可能な当接部と、前記当接部から突出する前記テラヘルツ波誘電体導波路の部分で構成され前記開口に挿脱可能に挿入され前記開口に挿入されることで前記開口に対しての前記テラヘルツ波誘電体導波路の位置決めを行なう位置決め部と、前記位置決め部から突出する前記テラヘルツ波誘電体導波路の部分に設けられ先端に至るにつれて断面が小さくなる傾斜案内部とを含んで構成されていることを特徴とする。
また、本発明は、内周部に開口が形成され外周部に位置決めピンが突設されテラヘルツ波入出力ポートを構成する導波管フランジの前記開口と同一輪郭を呈して延在するテラヘルツ波誘電体導波路を前記テラヘルツ波入出力ポートに接続する方法であって、前記テラヘルツ波誘電体導波路として可撓性および弾性を有するものを用い、前記テラヘルツ波誘電体導波路の先部寄りの箇所に、前記位置決めピンに干渉せずに前記開口の周囲の前記導波管フランジの箇所に当接可能な当接部を設け、前記当接部から突出する前記テラヘルツ波誘電体導波路の部分に、前記開口に挿脱可能に挿入され前記開口に挿入されることで前記開口に対しての前記テラヘルツ波誘電体導波路の位置決めを行なう位置決め部を設け、前記位置決め部から突出する前記テラヘルツ波誘電体導波路の部分に、先端に至るにつれて断面が小さくなる傾斜案内部を設け、前記傾斜案内部と前記位置決め部とを前記開口に挿入し、前記当接部を前記開口の周囲の前記導波管フランジの箇所に当接させた状態を、前記開口および前記当接部から離れた前記テラヘルツ波誘電体導波路の箇所を湾曲させることで生ずる前記テラヘルツ波誘電体導波路の弾性力により維持するようにしたことを特徴とする。
【発明の効果】
【０００７】
本発明のテラヘルツ波入出力ポート位置決め機構およびその機構を用いたテラヘルツ波誘電体導波路の接続方法によれば、位置決めピンを利用せずにテラヘルツ波誘電体導波路のテラヘルツ波入出力ポートへの位置決めを簡単に行なえる。また、テラヘルツ波誘電体導波路の弾性を利用してテラヘルツ波誘電体導波路とテラヘルツ波入出力ポートとの接続を維持できるので、従来のような複数箇所における複数のねじの締結、取り外し作業が不要となる。したがって、位置決めピンを損傷することなく、テラヘルツ波誘電体導波路のテラヘルツ波入出力ポートへの装脱を簡単に行なえる。
【図面の簡単な説明】
【０００８】
【図１】テラヘルツ波入出力ポート位置決め機構の説明図で、（Ａ）は実施の形態のテラヘルツ波誘電体導波路が接続されるテラヘルツ波入出力ポートを備える製品の斜視図、（Ｂ）はテラヘルツ波誘電体導波路がテラヘルツ波入出力ポートに接続される前の状態を示す側面図、（Ｃ）はテラヘルツ波誘電体導波路がテラヘルツ波入出力ポートに接続された状態を示す側面図、（Ｄ）は（Ｃ）のＤ矢視図である。
【図２】（Ａ）は実施の形態のテラヘルツ波誘電体導波路の断面図、（Ｂ）はテラヘルツ波誘電体導波路の斜視図、（Ｃ）は（Ａ）のＣＣ断面図である。
【図３】（Ａ）、（Ｂ）はテラヘルツ波入出力ポートに接続されたテラヘルツ波誘電体導波路の中間部が弾性変形した状態を示す説明図である。
【発明を実施するための形態】
【０００９】
以下、本発明の実施の形態を図面にしたがって説明する。
まず、本実施の形態に係るテラヘルツ波誘電体導波路が接続される入出力ポートを備える製品について説明する。
図１（Ａ）、（Ｂ）に示すように、本実施の形態では、製品１０が、１つのテラヘルツ波入力ポート１２Ａに供給されたテラヘルツ波を増幅したのち、３つのテラヘルツ波出力ポート１２Ｂから分配して出力する装置である場合について説明する。
製品１０は、筐体１４を備え、筐体１４は、矩形状の底面の４辺から起立する４つの側面と、４つの側面の上部を接続する上面とを備えている。
４つの側面のうち１つの側面には、１つのテラヘルツ波入力ポート１２Ａが設けられ、その側面に隣接する側面には、３つのテラヘルツ波出力ポート１２Ｂが設けられている。
それらテラヘルツ波入出力ポート１２は、導波管フランジ１６によって構成されている。
【００１０】
導波管フランジ１６は、テラヘルツ波導波管のフランジであり、導波管フランジ１６は円板状を呈し、導波管フランジ１６には、開口１８と、２つの位置決めピン２０と、２つのねじ孔２２とが設けられている。
開口１８は矩形を呈し、導波管フランジ１６の中心に設けられ、筐体１４の内部においてテラヘルツ波導波路に接続されている。
２つの位置決めピン２０は、導波管フランジ１６の中心を中心とした同一円周上において周方向に位相を１８０°ずらした導波管フランジ１６の外周部の箇所からそれぞれ突設されている。
２つのねじ孔２２は、上記同一円周上において導波管フランジ１６の中心の周方向に位相を１８０°ずらしかつ位置決めピン２０と位相を９０°ずらした導波管フランジ１６の外周部の箇所にそれぞれ設けられている。
【００１１】
次にテラヘルツ波入出力ポート１２に対してテラヘルツ波誘電体導波路３２を位置決めした状態で簡単に接続するテラヘルツ波入出力ポート位置決め機構３４について説明する。
図２（Ａ）、（Ｂ）に示すように、テラヘルツ波入出力ポート位置決め機構３４は、テラヘルツ波誘電体導波路３２と、当接部３６と、位置決め部３８と、傾斜案内部４０とを含んで構成されている。
テラヘルツ波誘電体導波路３２は、導波管フランジ１６の開口１８と同一輪郭の矩形を呈して帯状に延在し、可撓性および弾性を有する誘電体から構成されている。
このような誘電体として、フッ素樹脂、ポリエチレンなど従来公知の様々な誘電体材料が使用可能である。
図２（Ｃ）に示すように、テラヘルツ波誘電体導波路３２は、コア部３２０２と、コア部３２０２の周囲を覆うクラッド部３２０４とを備えている。
コア部３２０２は、クラッド部３２０４よりも大きな屈折率を持つ材料で構成されている。
クラッド部３２０４は空気であってもよく、その場合、テラヘルツ波誘電体導波路３２はコア部３２０２のみで構成されることになる。
【００１２】
当接部３６は、テラヘルツ波誘電体導波路３２の先部寄りの箇所に設けられ、テラヘルツ波誘電体導波路３２の先部がテラヘルツ波入出力ポート１２の開口１８に挿入された状態で開口１８の周囲の導波管フランジ１６の箇所に当接可能に設けられている。
当接部３６は、開口１８の周囲の導波管フランジ１６の箇所に当接した状態で、位置決めピン２０に干渉しない形状で形成されている。
本実施の形態では、テラヘルツ波誘電体導波路３２の先部寄りの箇所に、金属製の筒状部材４２が装着され固定されている。
筒状部材４２は、テラヘルツ波誘電体導波路３２の中心を中心とする円筒状の小径部４２Ａと、小径部４２Ａの端部に設けられ２つの位置決めピン２０の内側に挿入可能で小径部の外径よりも大きい寸法の外径を有する大径部４２Ｂとを有し、大径部４２Ｂで当接部３６が構成されている。
図１（Ｃ）に示すように、テラヘルツ波誘電体導波路３２の先部がテラヘルツ波入出力ポート１２の開口１８に挿入された状態で、大径部４２Ｂの端面が２つの位置決めピン２０の内側で開口１８の周囲の導波管フランジ１６の箇所に当接する。
【００１３】
図２（Ａ）、（Ｂ）に示すように、当接部３６から突出する前記テラヘルツ波誘電体導波路３２の部分は、位置決め部３８と傾斜案内部４０とを備えている。
位置決め部３８は、当接部３６から開口１８に合致した矩形を呈して突出し、開口１８に挿脱される寸法で形成されている。
位置決め部３８は、導波管フランジ１６の開口１８に挿入されることで、テラヘルツ波入出力ポート１２において、テラヘルツ波誘電体導波路３２を導波管フランジ１６の開口１８に対して位置決めし、言い換えると、筐体１４の側面においてテラヘルツ波誘電体導波路３２と筐体１４内部の導波路とを、がたつくことなく位置決めした状態で接続するものである。
傾斜案内部４０は、位置決め部３８から突出し先端に至るにつれて断面が小さくなるように形成され、導波管フランジ１６の開口１８へのテラヘルツ波誘電体導波路３２の挿入が円滑に簡単になされるように図られている。
したがって、当接部３６と位置決め部３８と傾斜案内部４０とにより、テラヘルツ波入出力ポート１２に対してテラヘルツ波誘電体導波路３２を位置決めするテラヘルツ波入出力ポート位置決め機構３４が構成されている。
また、位置決め部３８と傾斜案内部４０でテラヘルツ波誘電体導波路３２の先部が構成され、テラヘルツ波誘電体導波路３２の先部と反対側の基部は、不図示の検査装置に接続されている。
【００１４】
次に、製品１０の検査時におけるテラヘルツ波誘電体導波路３２の使用方法について説明する。
図１（Ｂ）に示すように、当接部３６が２つの位置決めピン２０に当たらないようにテラヘルツ波誘電体導波路３２の先部をテラヘルツ波入出力ポート１２の開口１８に近づける。
そして、図１（Ｃ）、（Ｄ）に示すように、傾斜案内部４０を導波管フランジ１６の開口１８に挿入し、続いて位置決め部３８を開口１８に挿入し、当接部３６を導波管フランジ１６の開口１８の周囲の箇所に当接する。
この場合、傾斜案内部４０が開口１８により案内されることにより、また、位置決め部３８が開口１８に挿入されることにより、テラヘルツ波入出力ポート１２に対してテラヘルツ波誘電体導波路３２が位置決めされた状態で、テラヘルツ波誘電体導波路３２のテラヘルツ波入出力ポート１２への接続が円滑にしかも簡単になされる。
【００１５】
当接部３６が導波管フランジ１６の表面に当接したならば、図３（Ａ）、（Ｂ）に示すように、テラヘルツ波誘電体導波路３２の先部の後方に位置する部分を湾曲させた状態とし、この湾曲された部分３２Ａ、３２Ｂが元の状態に復帰しようとするテラヘルツ波誘電体導波路３２の弾性力により、当接部３６を開口１８の周囲の導波管フランジ１６の箇所に圧接させる方向の力を加える。
すなわち、傾斜案内部４０と位置決め部３８とが開口１８に挿入され、当接部３６が開口１８の周囲の導波管フランジ１６の箇所に当接させた状態が、テラヘルツ波誘電体導波路３２を湾曲させることで生ずるテラヘルツ波誘電体導波路３２の弾性力により維持される。
この結果、テラヘルツ波誘電体導波路３２がテラヘルツ波入出力ポート１２に接続した状態が維持される。
【００１６】
テラヘルツ波誘電体導波路３２を湾曲させる方法は種々考えられる。
例えば、図３（Ａ）、（Ｂ）に示すように、製品１０を間欠的に検査位置で停止させる搬送路の近傍に、検査装置が載置されたテーブルが設けられている場合、検査位置の近傍のテーブルの箇所に予めテラヘルツ波誘電体導波路３２を湾曲させるためのピン５０を立設しておいてもよい。あるいは、テーブルにラヘルツ波テラヘルツ波誘電体導波路３２を湾曲させるためのピン状の置物を載置してもよい。
あるいは、テラヘルツ波導波路の長さを適宜長さに設定しておき、検査位置に停止された製品１０に対して、テラヘルツ波入出力ポート１２にテラヘルツ波導波路が接続した際に、テラヘルツ波導波路に湾曲された部分が形成されるような位置に、検査装置を配置するようにしてもよい。
【００１７】
このようにテラヘルツ波誘電体導波路３２のテラヘルツ波入出力ポート１２への接続が維持された状態で、テラヘルツ波誘電体導波路３２およびテラヘルツ波入出力ポート１２を介して検査装置と製品１０との間でテラヘルツ波の授受がなされ、検査装置により製品１０の検査がなされる。
検査終了後は、テラヘルツ波誘電体導波路３２の先部をテラヘルツ波入出力ポート１２から抜き出すことでテラヘルツ波誘電体導波路３２の先部とテラヘルツ波入出力ポート１２との接続が解除される。
この場合、開口１８からテラヘルツ波誘電体導波路３２の先部を引き抜く作業で足り、テラヘルツ波導波路のテラヘルツ波入出力ポート１２からの取り外しが簡単になされる。
【００１８】
本実施の形態によれば、従来のように位置決めピン２０、位置決め孔を利用することなく、テラヘルツ波誘電体導波路３２のテラヘルツ波入出力ポート１２への挿脱が簡単になされる。したがって、位置決めピン２０が損傷する虞、すなわち製品１０が損傷する虞はない。
また、テラヘルツ波誘電体導波路３２の弾性を利用してテラヘルツ波誘電体導波路３２とテラヘルツ波入出力ポート１２との接続を維持するので、従来のような複数箇所における複数のねじの締結、取り外し作業も不要となり、テラヘルツ波誘電体導波路３２のテラヘルツ波入出力ポート１２への装脱を簡単に行なうことができる。
したがって、テラヘルツ波を使用する製品１０の検査の作業効率を各段と高める上で有利となる。
【００１９】
なお、本実施の形態では、テラヘルツ波誘電体導波路３２をテラヘルツ波入力ポートおよびテラヘルツ波出力ポートの双方を備える製品１０に対して用いる場合について説明したが、製品１０がテラヘルツ波入力ポートおよびテラヘルツ波出力ポートの一方を備えるものであっても本発明のテラヘルツ波誘電体導波路３２を使用できることは無論である。
また、本発明の用途は、出荷前の製品検査に限定されず任意である。
【符号の説明】
【００２０】
１０……製品、１２……テラヘルツ波入出力ポート、１４……筐体、１６……導波管フランジ、１８……開口、２０……位置決めピン、２２……ねじ孔、３２……テラヘルツ波誘電体導波路、３４……テラヘルツ波入出力ポート位置決め機構、３６……当接部、３８……位置決め部、４０……傾斜案内部。
【図１】
2017147551.tif 000003
【図２】
2017147551.tif 000004
【図３】
2017147551.tif 000005